(57)【特許請求の範囲】
【請求項１】
コンクリート型枠の緊結作業において、全体として筒状体からなり、その内径は、セパレーターの外径より大きく、かつ、前記セパレーターのネジ部に螺合される六角ナット状の座金の外径より小さく、少なくとも一方の端部は該筒状体の軸方向に対し徐々に角度を変えて先端部が鋭角な端面であり、両端部の中間部の内面に突起を設けたことを特長としたセパレーター挿通用工具。
【発明の詳細な説明】
【０００１】
【産業上の利用分野】
本発明は、コンクリート型枠の緊結用セパレーターを堰板へ挿通する際の作業工具に関するものである。
【０００２】
【従来の技術】
従来行われているセパレーターの挿通方法を図３〜４に示す。
図３は、合板を堰板とする木製型枠や鋼板からなる鋼製型枠の場合で、セパレーターＢの取付作業は、次の手順で行われる。
まず、一方の堰板Ｃ１に対し、堰板Ｃ１に設けられた開口Ｃ１１を通してセパレーターＢを挿通し、あらかじめセパレーターＢの一方のネジ部Ｂ１に螺合した六角ナット状の座金Ｂ１１と、堰板Ｃ１の外側に突出した先端Ｂ１２から螺合した緊結金具Ｄ１によって堰板Ｃ１を挟持固定する。このように、何本ものセパレーターＢが１枚の堰板Ｃ１に対して略直角に固定立設された状態で、堰板Ｃ１を建込む。
【０００３】
次に、それぞれのセパレーターＢの位置に合わせた開口Ｃ２１を設けた他方の堰板Ｃ２を建込む。このとき、一方の堰板Ｃ１に固定されたセパレーターＢの他方のネジ部Ｂ２が、下方より順番に開口Ｃ２１に挿通されるよう、堰板Ｃ２を少しずつ起こして建込む。最後に、堰板Ｃ２より外側に突出した先端Ｂ２２から緊結金具Ｄ２を螺合して、あらかじめ螺合しておいた座金Ｂ２１とによって、堰板Ｃ２を挟持固定する。
【０００４】
また、最近採用が増えている鋼製金網を堰板に使用した型枠工法の場合、図４に示すように、両側の堰板Ｃ３、Ｃ４を先に建込んだ後、セパレーターＢを一方の側から両側の堰板Ｃ３を同時に挿通して、両端のネジ部Ｂ１、Ｂ２が堰板Ｃ３の外側に突出するようにする。その後、緊結金具Ｄ１、Ｄ２を先端Ｂ１２、Ｂ２２から螺合する。
【０００５】
【発明が解決しようとする課題】
しかし、図３の場合、使用している堰板が不透視性のものであるため、他方の堰板Ｃ２を建込む際に生じる開口Ｃ２１の位置にネジ部Ｂ２を挿通する作業は、堰板Ｃ２を徐々に起こしながら、さらに、開口Ｃ２１から見通して堰板Ｃ２の内側にある先端Ｂ２２の位置を確認しつつ少しずつ堰板Ｃ２の位置や角度をずらして行う必要に迫られていた。しかも、セパレーターが長い場合には、同じ高さに取り付けた各セパレーターごとの先端Ｂ２２の高さが揃い難く、先端Ｂ２２と開口Ｃ２１とを合わせることが難しかった。
【０００６】
また、図３のような厚みのある堰板に設けた開口Ｃ１１には、セパレーターＢの挿通方向を規制する機能を期待できるが、図４の場合堰板が金網であるため、挿通の際に方向が定まり難く、手前の堰板Ｃ３の網目にセパレーターＢを挿通した後、先端Ｂ２が自重で垂れ下がり、対向する堰板Ｃ４の適正な位置の網目にスムーズに挿通することが難しかった。
【０００７】
【課題を解決するための手段】
本発明は、全体として筒状体からなり、その内径は、セパレーターの外径より大きく、かつ、前記セパレーターのネジ部に螺合される六角ナット状の座金の外径より小さく、少なくとも一方の端部は該筒状体の軸方向に対し徐々に角度を変えて先端部が鋭角な端面であり、両端部の中間部の内面に突起を設けたことを特長としたセパレーター挿通用工具を提供することで、前記問題点を解決するものである。
【０００８】
【作用】
前記したごとく構成された本発明のセパレーター挿通用工具は、
第１に、全体として筒状体からなるため、合板や鋼板による型枠に従来の（セパレーターの直径に合わせた）直径より、やや大きめの直径の開口をあけることで、前記開口に挿通可能である。また、金網による型枠の場合は、網目に対して押し広げながら挿通可能である。
【０００９】
第２に、前記筒状体の内径がセパレーターの外径より大きいため、セパレーターの先端を筒状体の内部に内包可能となる。
【００１０】
第３に、前記筒状体の内径がセパレーターのネジ部に螺合する六角ナット状の座金の外径より小さいため、セパレーターを筒状体内部に挿入内包した際、筒状体が座金にぶつかって、一定の長さ以上の挿入が規制される。
【００１１】
第４に、一方の断面が軸方向に対して徐々に角度を変えて先端部が鋭角であるため、前記開口や前記網目に挿通し易い。
【００１２】
第５に、第３と同じ構成により、セパレーターの先端を鋭角側端部の先端付近に載せて拾うことができ、セパレーターを捕捉し易い。
【００１３】
第６に、両端部の途中の内面に突起を設けることにより、金網による型枠（図４）のように座金を使用しないセパレーターの使用方法の場合でも、第４の作用と同様に、セパレーターの先端が突起にぶつかって、一定の長さ以上の挿入が規制される。
【実施例１】
【００１４】
本発明の実施例を図１〜図２とともに説明する。
本実施例は、全体として筒状を構成し、その内径Ａ１は、セパレーターＢが内包できるようセパレーターＢの直径よりやや大きめの寸法とする。また、外径Ａ２は、全体として十分な強度が確保できる程度の肉厚が確保でき、かつ、型枠の開口や網目に挿通し易いなるべく小さい寸法とする。もちろん、外径Ａ２は、座金Ｂ１１、Ｂ２１の外径より小さい。
【００１５】
一方の端部Ａ３は、型枠の開口や網目に挿通がスムーズに行えるよう、また、セパレーターＢを捕捉し易いように、全体の軸方向に対し１５〜７５度程度の範囲の鋭角な端面を形成している。この端面は、必ずしも一定の角度である必要はなく、本実施例のように先端Ａ３１から徐々に角度を変えて湾曲した形状にした方が、セパレーターＢを拾うときに受ける筒状の内面Ａ１１がより広く確保でき、セパレーターＢの捕捉作業がより一層スムーズになる。
【００１６】
さらに、先端Ａ３１は、作業上の危険がなく、セパレーターＢを拾い易くするために、先端Ａ３１付近の幅Ａ３２が広くとれるよう、尖らせずに丸みをもたせておく。また、他方の端部Ａ４は、全体の軸方向に対して直角な端面を形成している。
【００１７】
一方、内面の突起Ａ５は、セパレーターＢの貫通を規制するだけの高さがあればよい。先端Ａ３１からの突起Ａ５の距離Ａ５１は、セパレーターＢのネジ部Ｂ１、Ｂ２の長さに略等しいものにしておく。これにより、座金Ｂ２１を使用している場合は、先端Ａ３１が座企Ｂ２１に先にぶつかるか、または、突起Ａ５が先に先端Ｂ２２にぶつかるか、ネジ部Ｂ２の長さが変わることによって状態が変わる。この点は、とくにどちらが有利ということはない。
【００１８】
【発明の効果】
本発明は、以上の構成からなるため以下の効果を有する。
第１に、第１〜４の作用により、図３のように使用している堰板が不透視性のものであっても、堰板にあけた小さな開口から見通しながら、セパレーターの先端を開口に挿通するといった作業の必要がなく、最初にセパレーター先端の大まかな位置を確認するだけで、工具端部で探ってセパレーター先端を捕捉することができる。
【００１９】
第２に、同じく第１〜４の作用により、図４のように、堰板が透視性のものであっても、両側の堰板を建込んだ後にセパレーターを挿通する際、工具端部で拾うことにより、セパレーターの先端が適正な位置に挿通できるよう容易に捕捉することができる。
【００２０】
第３に、第４〜５の作用により、開口や網目に挿通し易く、しかも丸棒状のセパレーターの先端を拾い易い。
【００２１】
第４に、第３および６の作用により、セパレーターを挿入内包した際、挿入方向に押すだけで、先端に圧力を加えてセパレーターを支持でき、一方の堰板に対するセパレーターの角度を自由に調整可能となって、結果的にセパレーター先端を開口や網目に誘導可能である。
【００２２】
以上第１〜４の効果により、セパレーター挿通作業がスムーズに行え、型枠組立工期の短縮と組立労務費の削減につながる。
【図面の簡単な説明】
【図１】本発明実施例のセパレーター挿通用工具の断面図である。
【図２】図１のセパレーター挿通用工具の側面図である。
【図３】合板を使用した従来の型枠の組立方法を示す断面図である。
【図４】金網を使用した従来の型枠の組立方法を示す断面図である。
【符号の説明】
Ａ        セパレーター挿通用工具
Ａ１      筒状体の内径
Ａ２      筒状体の外径
Ａ３      鋭角端面の一方の端部
Ａ４      他方の端部
Ａ５      突起
Ｂ        セパレーター
Ｃ        堰板
Ｄ        緊結金具
【図１】
0003782159.tif 000002
【図２】
0003782159.tif 000003
【図３】
0003782159.tif 000004
【図４】
0003782159.tif 000005